(57)【特許請求の範囲】
【請求項１】
軸方向に処理空気を通す多数の通路が全体に有り、可逆的な吸放湿機能を備えたモータにより回転する除湿ロータと、この除湿ロータの特定の領域の通路で経路の一部が構成され、両端が吸込口と吹出口としてそれぞれ室内に開口する循環風路と、この循環風路に吸込側に設けられ、前記除湿ロータに向う空気流を形成する送風機と、前記除湿ロータにおける前記循環風路の一部を構成する特定の領域の通路より回転方向に関して前段に位置する他の特定の領域の通路により前記循環風路に開口する入口端が構成され、加熱手段を設けた加熱経路を介して前記除湿ロータのさらに回転方向に関して前段に位置する他の特定の領域の通路を経て室外に出口端が開口する排気風路と、前記除湿ロータの通路により構成された部分の前記循環風路を迂回して前記送風機による空気流の一部を循環風路の前記吹出口に流れ込むバイパスとを備えたことを特徴とする乾燥換気装置。
【請求項２】
請求項１に記載の乾燥換気装置であって、加熱経路に加熱手段の除湿ロータ側への輻射熱を遮蔽する輻射防止部材を設けたことを特徴とする乾燥換気装置。
【請求項３】
請求項１に記載の乾燥換気装置であって、排気風路における除湿ロータの通路の出口近傍に湿度センサを設け、この湿度センサによる検出出力に応じて加熱手段への入力を調整したことを特徴とする乾燥換気装置。
【請求項４】
請求項１に記載の乾燥換気装置であって、排気風路における除湿ロータの通路の出口近傍に温度センサを設け、この温度センサによる検出出力に応じて加熱手段への入力を調整したことを特徴とする乾燥換気装置。
【発明の詳細な説明】
【０００１】
【発明の属する技術分野】
本発明は換気しながら部屋を乾燥雰囲気にする乾燥換気装置に属するものである。
【０００２】
【従来の技術】
上記したこの種の装置としては、例えば浴室を乾燥雰囲気にして衣類等の乾燥室として利用できるようにする乾燥換気装置が知られている。一般的な乾燥換気装置は特開平４―２４０４９５号公報に示されているような構成のものである。即ち、室内の空気を加熱手段により加熱しながら循環させる送風機と、間欠的に室内の湿潤した空気を室外へ排出する送風機とにより構成されている。
【０００３】
この種のものは循環のための送風機と排気のための送風機が必要であり、換気による損失熱量も大きいため加熱手段も容量の大きなものとなり、全体が大型になるうえ、エネルギ効率もあまり良くない。そこで、実開平６―１０７８２号公報や、特開平７―１８０９５６号公報に示されているように可逆的な吸湿と放湿とが可能な除湿ロータを使った装置が開発されている。
【０００４】
この種の装置に使われている除湿ロータ自体はプラスチックぺレットの乾燥装置等に従来から使用されており、シリカゲル等の吸湿剤を付着させたコルゲート材やハニカム材を巻成形し、円柱状に構成したものである。上記公報の乾燥換気装置は図１８に示すように、室内の空気を送風機１０１により循環させる循環風路１０２と、室外へ開口する排気風路１０３とを備え、低速で回転する除湿ロータ１０４の通路が循環風路１０２と排気風路１０３の双方を連続的に通過するように構成されている。
【０００５】
排気風路１０３の除湿ロータ１０４の通路への入口部分には除湿ロータ１０４を放湿させ除湿能を再生させるための加熱手段１０５が設けられ、循環風路１０２の吹出口付近には暖房用の加熱手段１０６が組込まれている。図示した装置では送風機１０１の吹出し側に、循環風路１０２の吹出口側と排気風路１０３の室外開口側とに風路を切換え、或いは中立位置に保持できるダンパ１０７が設けられ、ダンパ１０７の切換えにより換気機能、乾燥機能又は暖房機能を選択的に行なうことができるようになっている。
【０００６】
【発明が解決しようとする課題】
上記のような従来の除湿ロータ１０４を用いた乾燥換気装置は、乾燥運転時には除湿ータ１０４の通路に循環風路１０２側の空気流と排気側の空気流とが並行して流れ込むため、排気側へ流れ込ませる空気流を加熱手段１０５で速やかに昇温する必要があり、どうしても大きな加熱入力が必要であった。
【０００７】
また、乾燥運転時の循環風路１０２からの吹出し風量が全て除湿ロータ１０４を通過するため十分には得難く、被乾燥物の表面からの湿気の剥ぎ取り作用が弱くなり勝ちで乾燥に時間がかかるといった問題もある。さらには、換気機能だけの運転でも除湿ロータ１０４を介して排気することになるため、除湿ロータ１０４による圧力損失が大きく大風量の換気が困難でもあった。
【０００８】
本発明は上記した従来の問題点を解消するためになされたもので、その課題とするところは、乾燥に係るエネルギ効率が良く、乾燥時間も短縮できる乾燥換気装置を得ることであり、大風量での換気が実施できる乾燥換気装置を得ることであり、加熱入力が少なくて済む乾燥換気装置を得ることであり、簡素な構成で暖房機能も果たしうる乾燥換気装置を得ることであり、設置し易く適用性の良い乾燥換気装置を得ることである。
【０００９】
【課題を解決するための手段】
前記課題を達成するために請求項１の発明は、軸方向に処理空気を通す多数の通路が全体に有り、可逆的な吸放湿機能を備えたモータにより回転する除湿ロータと、除湿ロータの特定の領域の通路で経路の一部が構成され、両端が吸込口と吹出口としてそれぞれ室内に開口する循環風路と、循環風路に吸込側に設けられ、除湿ロータに向う空気流を形成する送風機と、前記除湿ロータにおける循環風路の一部を構成する特定の領域の通路より回転方向に関して前段に位置する他の特定の領域の通路により循環風路に開口する入口端が構成され、加熱手段を設けた加熱経路を介して除湿ロータのさらに回転方向に関して前段に位置する他の特定の領域の通路を経て室外に出口端が開口する排気風路と、除湿ロータの通路により構成された部分の循環風路を迂回して送風機による空気流の一部を循環風路の吹出口に流れ込むバイパスとを備える手段を採用する。
【００１３】
前記課題を達成するために請求項２の発明は、請求項１にかかる前記手段における加熱経路に、加熱手段の除湿ロータ側への輻射熱を遮蔽する輻射防止部材を設ける手段を採用する。
【００１４】
前記課題を達成するために請求項３の発明は、請求項１にかかる前記手段における排気風路を構成する除湿ロータの通路の出口近傍に湿度センサを設け、湿度センサによる検出出力に応じて加熱手段への入力を調整する手段を採用する。
【００１５】
前記課題を達成するために請求項４の発明は、請求項１にかかる前記手段における排気風路を構成する除湿ロータの通路の出口近傍に温度センサを設け、温度センサによる検出出力に応じて加熱手段への入力を調整する手段を採用する。
【００１７】
【発明の実施の形態】
次に本発明の実施の形態を図面に基づいて説明する。
発明の実施の形態１．
図１〜図６に示すこの実施の形態１の乾燥換気装置は、可逆的な吸放湿機能をもった除湿ロータ１を利用したものである。この装置に適用される除湿ロータ１は、図３に示すようにセラミックス等の無機質繊維にシリカゲル等の吸湿剤を重合反応を利用して結合させたコルゲート構造材２を巻回して円柱状にし、同心状に多層の通路３を形成した構成である。除湿ロータ１の中心にはモータ４の回転軸が装着され、この回転軸に平行に各通路３が並んでいる。各通路３は直線状でそれぞれ除湿ロータ１の両端面に開口端が臨んでいる。
【００１８】
上記構成の除湿ロータ１は本体ケーシング５内に設けられた取付ベース板６に回転可能に取付けられ、モータ４により定方向へ低速回転（０．５ｒｐｍ〜１ｒｐｍ程度である）される。本体ケーシング５内には、この除湿ロータ１の特定の領域７（以降はこれを除湿領域と称す）の通路３で経路の一部が構成され、両端が吸込口８と吹出口９としてそれぞれ室内に開口する循環風路１０が形成されている。この循環風路１０の吸込口８にはフィルタ１１が装着され、その奥に除湿ロータ１に向う空気流を形成する送風機１２が吸込側を吸込口８に向けて取付けられている。循環風路１０は吸込口８を入口端とし、送風機１２から除湿ロータ１の除湿領域７の通路３を経て取付ベース板６に形成された通風孔から出口端である吹出口９に至る一連の通路として構成され、送風機１２により室内の空気が循環する。この実施の形態１の乾燥換気装置では図５に示すように天井裏の空間を利用して取付ける構成のため、循環風路１０の吸込口８と吹出口９はともに本体ケーシング５の下面に離反して設けられている。
【００１９】
本体ケーシング５には、除湿ロータ１における除湿領域７の通路３の回転方向における前段の特定の領域１３（以降これをパージ領域と称す）の通路３により循環風路１０に開口する入口端が構成され、加熱手段としてのヒータ１４を設けた加熱経路１５を介して除湿ロータ１のパージ領域１３の回転方向における前段の他の特定の領域１６（以降これを再生領域と称す）の通路３を経て室外に出口端が開口する排気風路１７が構成されている。即ち、図４に示すように除湿ロータ１の通路３の開口端が臨む端面は、除湿領域７とパージ領域１３と再生領域１６の三領域に区画されている。除湿領域７は最も広く端面全体の略２３０度の角度を占め、パージ領域１３は略５０度で再生領域１６は略８０度の角度である。
【００２０】
排気風路１７の加熱経路１５は除湿ロータ１の一方の端面が気密状態で摺動する取付ベース板６に装着された加熱ボックス１８により構成されている。加熱ボックス１８は取付ベース板６に形成された開口部を介して除湿ロータ１の一端面側においてパージ領域１３の通路３端と再生領域１６の通路３端とを連絡させている。加熱ボックス１８内には当該部を通過する空気流を加熱するヒータ１４が輻射防止板１９とともに組込まれている。輻射防止板１９はヒータ１４の除湿ロータ１側に設けられ、除湿ロータ１の特にパージ領域１３への輻射熱を遮蔽している。
【００２１】
加熱ボックス１８に対向する除湿ロータ１の他端面側の再生領域１６には排気風路１７の一部を構成する排気ボックス２０が取付ベース板６とで除湿ロータ１を挟みつけるように取付けられている。排気ボックス２０の除湿ロータ１の端面側は開放していて、除湿ロータ１の端面が気密状態で摺動できるようになっている。排気ボックス２０には室外に一端が開口される排気ダクト２１の一端が接続されている。除湿ロータ１の一端面が摺接する取付ベース板６には、除湿ロータ１の除湿領域７の通路３により構成された部分の循環風路１０を迂回して、送風機１２による空気流の一部を循環風路１０の吹出口９に流し込むバイパス２２が形成されている。このバイパス２２には開閉板２３が設けられ室内側からの操作で開閉できるように構成されている。
【００２２】
上記のような乾燥換気装置は、図５に示すように浴室２４等の室の天井面に吸込口８と吹出口９が臨んで開口するように天井裏の空間を利用して取付けられる。排気ダクト２１は一端が屋外へ臨んで開口するように配管される。設置した室内を乾燥雰囲気にする場合には、送風機１２と除湿ロータ１及びヒータ１４を全て運転させる。送風機１２の運転により循環風路１０に室内の空気が吸込まれる。吸込まれた空気は送風機１２によりその多くが回転している除湿ロータ１の除湿領域７の通路３を経て吹出口９から再び室内へ吹出される。吸込まれた空気の一部は送風機１２により回転している除湿ロータ１のパージ領域１３の通路３を経て加熱ボックス１８に送り込まれ、加熱ボックス１８内のヒータ１４で加熱されて再び除湿ロータ１の再生領域１６の通路３に反対方向から流れ込み、排気ボックス２０を経て排気ダクト２１から屋外へ排気される。開閉板２３によりバイパス２２が開放されている場合には吸込まれた空気の一部は、取付ベース板６のバイパス２２を経て除湿ロータ１の通路３を経由することなく吹出口９から吹出される。
【００２３】
除湿ロータ１は低速で回転していて、除湿領域７にあった通路３は再生領域１６に順次移行していき、再生領域１６にあった通路３は順次パージ領域１３に移行していき、パージ領域１３にあった通路３は除湿領域７に移行していく連続動作を行なっている。排気風路１７の一部を構成している再生領域１６の通路３にはヒータ１４で加熱された高温の排気流が流れ込み、当該部分の除湿ロータ１を連続的に放湿させている。再生領域１６を通過することにより放湿し、除湿能を付与された除湿ロータ１の通路３はヒータ１４の熱を受けて高温になっているが、次のパージ領域１３において送風機１２からの空気流が吹き込まれ、冷却される。パージ領域１３を通過して冷却された除湿ロータ１の通路３は順次除湿領域７に移行し通路３を通過する空気流から連続的に吸湿する。吸湿され乾燥雰囲気になった空気流がバイパス２２からの空気流と混ざって室内へ吹出口９から吹き出され、室内を乾燥雰囲気にする。除湿領域７において吸湿した除湿ロータ１の水分は再び再生領域１６において放湿され再生され除湿能が付与される。
【００２４】
除湿領域７での除湿ロータ１の吸湿能力は温度に影響され、温度が低い程吸湿能力は高い。この実施の形態１の乾燥換気装置では再生領域１６で加熱され表面温度が上昇した除湿ロータ１が、次のパージ領域１３において室温の空気流の通過により冷却されて除湿領域７に至るため、除湿領域７での除湿能力が高く維持される。これとともにヒータ１４によるパージ領域１３への輻射熱が輻射防止板１９で遮られているため、除湿領域７の温度は低く維持され効率良く除湿ロータ１の吸湿能力を引き出すことができる。
【００２５】
輻射防止板１９は除湿ロータ１の再生領域１６の表面温度の過度の上昇も防止している。再生領域１６の除湿ロータ１の表面温度が輻射熱で上昇し過ぎると、除湿ロータ１に温度むらができ除湿ロータ１の寿命を縮めたり、排気熱量も多くなり効率が悪くなるが、輻射防止板１９によりこうした不都合も解消できる。再生領域１６において除湿ロータ１から放湿させるにはヒータ１４により排気流を加熱する必要があるが、パージ領域１３の通路３は先の再生領域１６において加熱され、パージ領域１３の通路３を通過した排気流は受熱により予熱されているので、その分ヒータ１４による加熱入力を小さくすることができ、エネルギ効率が向上する。除湿ロータ１をこのように効率よく使うことにより、乾燥雰囲気を形成する循環風量や排気風量は少なくてよくなる。従って、全風量は少なくて済むので送風機１２を小型化することも可能になる。
【００２６】
浴室２４内に衣類等の被乾燥物２５を吊してこれらを乾燥させる場合、より乾燥の度合いの高い乾燥雰囲気の空気を被乾燥物２５に接触させる方が乾燥時間は短くなる。しかし、被乾燥物２５から奪い取った水分を被乾燥物２５から速やかに引き離して排除することも乾燥時間の短縮に繋る重要な要素である。この乾燥換気装置では乾燥運転時には少ない量の排気により剥ぎ取った水分の屋外への排出が連続的に行なわれ、しかも、バイパス２２を開放させることによりバイパス２２を通じて流れる空気流により吹出口９から室内へ吹出される風量を多くできるので、被乾燥物２５の表面を流れる空気流の流速は速くなる。従って、被乾燥物２５からの水分の引き離しが速やかに行なわれ、乾燥時間が図６に示すように短縮する。
【００２７】
除湿ロータ１とヒータ１４とを停止させ送風機１２のみを運転させれば、室内の空気を循環させながら一部を換気することができる。即ち、排気風路１７を経て適度な風量での少風量換気が行なわれ、これとともに循環風路１０とバイパス２２により室内の空気を循環させることができる。入浴後の浴室２４などでは、この換気運転で壁面や床等の乾燥を図ることができ、カビの発生などを抑制することが可能である。もともと少なく設定されている排気風路１７による換気では換気風量が不足するようであれば、送風機１２を可変速に構成し、送風機１２の回転数を高くして使うようにすればよい。但し、除湿ロータ１の通路３を経て換気を行なうため、除湿ロータ１による圧力損失があり風量がその分減少するため効率のよい換気とは必ずしもいえない。
【００２８】
発明の実施の形態２．
上記した実施の形態１の乾燥換気装置では換気については少量換気であり、屋外へ開口させる排気ダクト２１の径は小さくてよいので排気ダクト２１に関する工事性はよいものの、先にも触れたように大風量の換気には必ずしも適するものではない。この実施の形態２は実施の形態１で示した乾燥換気装置に大風量での換気を容易に実施できるような工夫を施したものであり、これにかかる構成以外は実施の形態１で示したものと同じである。従って、実施の形態１の乾燥換気装置と同じ部分については同一の符号を用いそれらについての説明は省略する。
【００２９】
この実施の形態２の乾燥換気装置は図７，８に示すように排気ボックス２０に除湿ロータ１より上流側の循環風路１０に連絡する排気バイパス２６が設けられている。排気バイパス２６は排気風路１７における除湿ロータ１の通路３で構成される部分と、加熱ボックス１８で構成される部分とを迂回する排気に関する経路である。この排気バイパス２６にはこれを開閉する開閉ダンパ２７が設けられている。排気ボックス２０に接続される排気ダクト２１は処理風量に見合うよう実施の形態１のものよりは大径にする。これ以外の構成は実施の形態１のものと同じであるのでその説明は省略する。
【００３０】
この乾燥換気装置において排気バイパス２６を開閉ダンパ２７で閉止した状態では、実施の形態１で示した乾燥換気装置と全く同様の機能を果たす。大風量での換気運転の必要が生じた場合には、バイパス２２を閉止し、除湿ロータ１とヒータ１４の運転を停止させ、開閉ダンパ２７により排気バイパス２６を開放させて送風機１２を運転させる。即ち、送風機１２からの吹出し空気流は一部は圧力損失の大きい除湿ロータ１の通路３を通り吹出口９に向うものの大部分は、圧力損失の少ない排気バイパス２６に流れ、排気ボックス２０からそのまま排気ダクト２１を経て屋外へ放出されることになる。従って、送風機１２の回転数を高くするなどの面倒な構成を採ることなく、簡素な構成により大風量での迅速な換気が実現する。これ以外の機能及び利点は実施の形態１のものと同じであるのでそれらについての説明は省略する。
【００３１】
発明の実施の形態３．
この実施の形態３の乾燥換気装置は上記した実施の形態１や実施の形態２に示した乾燥換気装置に暖房機能を付加したものであり、暖房機能にかかる構成以外は基本的に実施の形態１，２のものと同じである。従って、実施の形態１，２の乾燥換気装置と同じ部分については同一の符号を用いそれらについての説明は省略する。
【００３２】
図９，１０に示すようにこの実施の形態３の乾燥換気装置は、循環風路１０の吹出口９の近傍に当該部を流れる空気流を加温する暖房用ヒータ２８を設けたものである。排気ボックス２０には実施の形態２で示したような排気バイパス２６が設けられている。但し、排気バイパス２６を開閉する開閉ダンパ２７は、実施の形態２のものとは異り中立位置Ａで排気ボックス２０内の排気経路を全閉にできる構成となっている。これ以外の構成は実施の形態２のものと同じであるのでその説明は省略する。
【００３３】
この実施の形態３の乾燥換気装置は、実施の形態１，２のものと同様にして乾燥運転や換気運転を行なうことができるうえ、暖房運転も行なうことができる。暖房運転に際しては、バイパス２２は開放し除湿ロータ１とヒータ１４は運転を停止し、送風機１２と暖房用ヒータ２８とを運転させる。排気バイパス２６に関する開閉ダンパ２７は中立位置Ａにして排気風路１７は閉止させる。即ち、送風機１２により吸込まれた室内の空気は、全て循環風路１０とバイパス２２を経て吹出口９から再び室内へ吹出される。吹出口９から吹出される空気流は暖房用ヒータ２８で加温され温風となり、室内を暖房雰囲気にする。排気風路１７は開閉ダンパ２７で全閉にされているので、暖房用ヒータ２８による熱が排気風路１７を経て屋外へ放出されることは防止される。暖房用ヒータ２８は赤外線ヒータで構成することもできるが、この場合でも赤外線ヒータ部分の過熱防止の点から送風機１２による送風は必要である。なお、図例は実施の形態２に暖房用ヒータ２８を適用したものを示したが、全く同様に実施の形態１で示したものにも適用することができる。勿論、乾燥運転や換気運転の時には暖房用ヒータ２８は停止させることになる。これ以外の機能及び利点は実施の形態１，２のものと同じであるのでそれらの説明は省略する。
【００３４】
発明の実施の形態４．
この実施の形態４の乾燥換気装置は上記した実施の形態１や実施の形態２に示した乾燥換気装置にやはり暖房機能を付加したものであり、暖房機能にかかる構成以外は基本的に実施の形態１，２のものと同じである。従って、実施の形態１，２の乾燥換気装置と同じ部分については同一の符号を用いそれらについての説明は省略する。
【００３５】
実施の形態３では暖房機能を暖房専用の暖房用ヒータ２８により行なうように構成したが、この実施の形態４では加熱ボックス１８内に設けたヒータ１４で暖房機能を果たすように構成している。即ち、図１１，１２に示すように加熱ボックス１８には循環風路１０の除湿ロータ１より下流側において吹出口９に連絡する連絡路２９が設けられている。この連絡路２９には循環風路１０側の連絡部分の開閉とともに除湿ロータ１の通路３による排気風路１７を閉開する開閉ダンパ３０が設けられている。これ以外の構成は実施の形態１，２のものと同じであるのでそれらの説明は省略する。
【００３６】
この実施の形態４の乾燥換気装置では、開閉ダンパ３０により加熱ボックス１８の連絡路２９を閉止し、除湿ロータ１の通路３を開放した状態で実施の形態１，２と同様に乾燥運転や換気運転を行なうことができる。暖房運転に際しては、バイパス２２は閉止し、開閉ダンパ３０により加熱ボックス１８の連絡路２９を開放し、除湿ロータ１の通路３を閉止する。この時、除湿ロータ１は停止させ、ヒータ１４と送風機１２とを運転させる。送風機１２からの吹出し空気流は除湿ロータ１の通路３を経て循環風路１０に流れ吹出口９から室内へ吹出されるが、一部は除湿ロータ１の排気風路１７を構成する通路３を経て加熱ボックス１８に流入し、ヒータ１４で昇温されて連絡路２９から循環風路１０に流れ込み、循環風路１０の空気流に混ざり込み吹出口９からの吹出し空気を暖気化する。これにより、専用の暖房用ヒータ２８を設けることなく室内を暖房雰囲気にすることができる。
【００３７】
この上記した構成では暖房に関与する空気は除湿ロータ１のパージ領域１３の通路３を通って加熱ボックス１８に流入したもので、量的にはあまり多くはない。暖房に関与する空気の量を増加させるには、実施の形態３で示した排気ボックス２０の構成を採用し、加熱ボックス１８の開閉ダンパ３０を連絡路２９の開閉機能のみの構成にすればよい。排気ボックス２０の開閉ダンパ２７を中立位置Ａにして排気風路１７を閉止し、加熱ボックス１８の連絡路２９を開放すれば、パージ領域１３と再生領域１６の双方の通路から加熱ボックス１８へ空気を流入させることができ、暖房機能が向上することになる。これ以外の機能及び利点は実施の形態１，２と同じであるのでそれらの説明は省略する。
【００３８】
発明の実施の形態５．
この実施の形態５の乾燥換気装置は前記した実施の形態１，２に示した乾燥換気装置にヒータ１４の入力調整機能を付加し、エネルギ効率の改善を図ったものである。ヒータ１４の入力調整機能にかかる構成以外は基本的に実施の形態１，２のものと同じである。従って、実施の形態１，２の乾燥換気装置と同じ部分については同一の符号を用いそれらについての説明は省略する。
【００３９】
この実施の形態５の乾燥換気装置は、図１３に示すように排気ボックス２０内における再生領域１６の通路３の出口付近に湿度センサ３１を設け、この湿度センサ３１の検出出力を制御器３２に入力させ、制御器３２によりヒータ１４への入力を調整させるように構成したものである。制御器３２は湿度センサ３１の検出出力が所定値以下になるとヒータ１４への入力を絞り込む。即ち、乾燥運転において乾燥状態が進行していくにつれ除湿ロータ１に吸湿される水分量は漸次減少していく。従って、再生領域１６での放湿量も漸次減少していく。この放湿量を湿度センサ３１により検知することにより、乾燥状態が判定できる。乾燥状態が所定の状態まで進行したらヒータ１４の入力を絞ることによりエネルギ効率を改善することができる。
【００４０】
上記した湿度センサ３１を温度センサ３３に変えても同様の機能を果たしうる。即ち、乾燥状態の進行につれ再生領域１６での放湿量は少なくなるので、再生領域１６の通路３を出た排気流の温度は上昇する。この排気流の温度を温度センサ３３により検知することにより、乾燥状態が判定できる。乾燥状態が所定の状態まで進行し、温度センサ３３の検出出力が所定値以上になったら制御器３２によりヒータ１４の入力を絞ればエネルギ効率を改善することができる。
【００４１】
発明の実施の形態６．
この実施の形態６の乾燥換気装置は前述した実施の形態１〜５に示した乾燥換気装置を適用する室の室内側壁面に取付けるように構成したものであり、それ以外の構成は上述した各実施の形態で示したものと同じである。従って、各実施の形態の乾燥換気装置と同じ部分については同一の符号を用いそれらについての説明は省略する。
【００４２】
図１４，１５に示すこの実施の形態６の乾燥換気装置は本体ケーシング５の室内側面に循環風路１０の吸込口８と吹出口９を設け、排気風路１７の排気ダクト２１を本体の背面から延出させた構成である。これ以外の構成は上述した各実施の形態と同じであるのでそれらの説明は省略する。
【００４３】
この実施の形態６の乾燥換気装置は、図１５のように例えば浴室２４の内壁面に吹出口９と吸込口８を浴室２４内に向けて取付けることができる。先の実施の形態１でも触れたようにこの装置は排気量（換気量）が少ないことにも特徴がある。従って、屋外へ開口させる排気ダクト２１は小径であるため、壁取付を可能に構成することにより既設の住宅でも換気扇に換えその取付用開口部をそのまま利用して排気ダクト２１を配管することができ、取付工事が簡単になり適用性も広がる利点が得られる。これ以外の機能及び利点は実施の形態１〜６のものと同じであるのでそれらの説明は省略する。
【００４４】
発明の実施の形態７．
この実施の形態７の乾燥換気装置は前述した実施の形態１〜５に示した乾燥換気装置を室外に取付ける構成にしたものであり、それ以外の構成は上述した各実施の形態で示したものと同じである。従って、各実施の形態の乾燥換気装置と同じ部分については同一の符号を用いそれらについての説明は省略する。
【００４５】
図１６，１７に示すこの実施の形態７の乾燥換気装置は、送風機１２、除湿ロータ１、加熱ボックス１８、排気ボックス２０等の機能部品を組込んだ本体３４を室外に取付け得る構成とし、この本体３４に対して吸込口８と吹出口９と、それらに繋る循環風路１０の一部を構成した室内端末器３５を接続して機能態となるようにしたものである。室内端末器３５は室内の内壁面や天井面等に取付けられ、本体３４は天井裏や屋外等、当該室の室外に取付けられる。本体３４と室内端末器３５とは壁や天井板等を貫通する連絡ダクト３６で接続される。これ以外の構成は上述した各実施の形態と同じであるのでそれらの説明は省略する。
【００４６】
この実施の形態７の乾燥換気装置によれば、室内を広く使うことができ、比較的狭隘な浴室２４等に対しても浴室２４等を狭めることが少なく重宝であるばかりでなく、浴室２４に適用する場合の湿気や結露等による水対策を本体３４に講じずにすみ、本体３４の構成を簡素化できる利点がある。これ以外の機能及び利点は実施の形態１〜６のものと同じであるのでそれらの説明は省略する。
【図面の簡単な説明】
【図１】この発明の実施の形態１の乾燥換気装置の横断面構成図である。
【図２】発明の実施の形態１の乾燥換気装置の縦断面構成図である。
【図３】発明の実施の形態１の乾燥換気装置に使う除湿ロータの構成を示す説明図である。
【図４】発明の実施の形態１の除湿ロータの通風に関する領域を示す説明図である。
【図５】発明の実施の形態１の乾燥換気装置の取付形態を示す説明図である。
【図６】発明の実施の形態１の乾燥換気装置のバイパスの開閉による乾燥速度を比較した説明図である。
【図７】発明の実施の形態２の乾燥換気装置の横断面構成図である。
【図８】発明の実施の形態２の乾燥換気装置の縦断面構成図である。
【図９】発明の実施の形態３の乾燥換気装置の横断面構成図である。
【図１０】発明の実施の形態３の乾燥換気装置の縦断面構成図である。
【図１１】発明の実施の形態４の乾燥換気装置の縦断面構成図である。
【図１２】発明の実施の形態４の乾燥換気装置の横断面構成図である。
【図１３】発明の実施の形態５の乾燥換気装置の縦断面構成図である。
【図１４】発明の実施の形態６の乾燥換気装置の縦断面構成図である。
【図１５】発明の実施の形態６の乾燥換気装置の取付形態を示す説明図である。
【図１６】発明の実施の形態７の乾燥換気装置の縦断面構成図である。
【図１７】発明の実施の形態７の乾燥換気装置の取付形態を示す説明図である。
【図１８】従来の乾燥換気装置の構成を示す断面図である。
【符号の説明】
１  除湿ロータ
３  通路
４  モータ
７  除湿領域
８  吸込口
９  吹出口
１０  循環風路
１２  送風機
１３  パージ領域
１４  ヒータ
１５  加熱経路
１６  再生領域
１７  排気風路
１８  加熱ボックス
１９  輻射防止板
２０  排気ボックス
２１  排気ダクト
２２  バイパス
２６  排気バイパス
２７  開閉ダンパ
２８  暖房用ヒータ
２９  連絡路
３０  開閉ダンパ
３１  湿度センサ
３３  温度センサ
３４  本体
３５  室内端末器
【図１】
0003700223.tif 000002
【図２】
0003700223.tif 000003
【図３】
0003700223.tif 000004
【図４】
0003700223.tif 000005
【図５】
0003700223.tif 000006
【図６】
0003700223.tif 000007
【図７】
0003700223.tif 000008
【図８】
0003700223.tif 000009
【図９】
0003700223.tif 000010
【図１０】
0003700223.tif 000011
【図１１】
0003700223.tif 000012
【図１２】
0003700223.tif 000013
【図１３】
0003700223.tif 000014
【図１４】
0003700223.tif 000015
【図１５】
0003700223.tif 000016
【図１６】
0003700223.tif 000017
【図１７】
0003700223.tif 000018
【図１８】
0003700223.tif 000019